(57)【要約】【課題】  ドアガラス半開き状態でのドアを強閉時又は悪路走行時に生じるガラスランの異音の発生を防止し、ドアガラスの昇降時の摺動抵抗の向上を抑制して、ドアガラスの昇降をスムースに行うことができるガラスランを提供する。【解決手段】  ドアフレームの内周側に装着され、底壁と車内側側壁と車外側側壁とからなる断面略コ字状のガラスラン本体と、両シールリップと、複数の保持リップとを備えたガラスランにおいて、前記シールリップと該シールリップに対向する前記側壁のいずれか一方の部材に、他方の部材との間に空間を隔ててリップ状又は中空状のいずれか一つの形態の発泡体を設け、前記ガラスラン本体と、前記両シールリップと、前記保持リップをオレフィン系熱可塑性エラストマー材料又はその微発泡の材料で構成し、前記発泡体を同じくオレフィン系熱可塑性エラストマー材料で、発泡倍率１．５倍〜２．５倍で構成した。【選択図】図１
2005271677.tif 000002
【特許請求の範囲】
【請求項１】
ドアフレームの内周側に装着され、ドアガラスの昇降をガイドするとともに、ドアガラスの周縁部をシールするガラスランであって、底壁と、該底壁の両端部からそれぞれ延出する車内側側壁と、車外側側壁とからなる断面略コ字状のガラスラン本体と、前記両側壁の先端からそれぞれガラスラン本体の内側に延出する車内側シールリップ及び車外側シールリップと、前記ガラスラン本体の外側から突出する複数の保持リップを備えたガラスランにおいて、
少なくとも一方のシールリップと該シールリップに対向する前記側壁のいずれか一方の部材に、他方の部材との間に空間を隔ててリップ状又は中空状のいずれか一つの形態の発泡体を設け、
前記ガラスラン本体と、前記両シールリップと、前記保持リップをオレフィン系熱可塑性エラストマー材料又はその微発泡の材料で構成し、
前記発泡体を同じくオレフィン系熱可塑性エラストマー材料で、発泡倍率１．５倍〜２．５倍で構成したことを特徴とするガラスラン。
【請求項２】
前記発泡体は、シールリップの先端から対向する側壁に向かって延出するリップ状の形態であり、前記シールリップと同時押出成形により、一体に形成されている請求項１記載のガラスラン。
【請求項３】
前記発泡体は、前記少なくとも一方のシールリップの先端が当接可能な範囲の前記側壁に設けられ、リップ状又は中空状のいずれか一つの形態で前記側壁と同時押出成形により一体に形成されている請求項１記載のガラスラン。
【請求項４】
前記発泡体は、前記車内側シールリップの先端が当接可能な範囲にリップ状又は中空状に突出して設けられる部分と、前記車内側側壁に埋設される部分とを有しているとともに、該埋設部位の車内側側壁の外表面部位には、補強のための硬質材料が板状に、一体的に設けられている請求項３記載のガラスラン。  
【発明の詳細な説明】
【技術分野】
【０００１】
本発明は、自動車のドアフレームに沿って取付けられるガラスランに関するものである。
【背景技術】
【０００２】
図３に示すように、自動車ドア１のドアフレーム２の内周には、ドアガラス３の昇降をガイドするとともにドアガラス３の周縁部をシールするガラスラン４（６）が取付けられている。
【０００３】
図４に示すように、従来のガラスラン６は、底壁６１ｃ及びこの底壁６１ｃから延びる一対の車内側側壁、車外側側壁６１ａ，６１ｂからなる断面略コ字状のガラスラン本体６０と、上記両側壁６１ａ，６１ｂの略先端からそれぞれガラスラン本体６０の内側に向かって延出するの一対の車内側、車外側シールリップ６２ａ，６２ｂとを備えている。
【０００４】
ガラスラン６は、ドアフレーム２の内周側に形成したガラスラン取付け部２０に嵌着され、シールリップ６２ａ，６２ｂが、ドアガラス３の周縁部をその両面から挟むようにしてシールしている。
【０００５】
ガラスラン６としては、ゴム、特にエチレン・プロピレンゴム（ＥＰＤＭゴム）製のものが一般に用いられている。また最近では、オレフィン系熱可塑性エラストマー（ＴＰＯ）製のものが用いられるようになってきた。なお、底壁６１C及び車内側、車外側シールリップ６２ａ，６２ｂのドアガラス３との接触表面には、摺動抵抗を低くする摺動層が設けられている。
【０００６】
ところで、ドアガラス３を半開きにしてドア１を強閉するとその直後に、また、ドアガラス３を半開きにして悪路を走行すると、ガラスラン６からパチパチないしはピチピチという感じの異音が発生することがある。この異音は、ドアガラス３の振動に伴ってシールリップ６２ａ，６２ｂが、これらと対向する側壁６１ａ，６１ｂに対し接触、離脱を繰り返すことにより発生するものである。なお、シールリップ６２ａ，６２ｂは、ドアガラス３によりそれぞれ対向する側壁６１ａ，６１ｂの内側面に押付けられたときに接触面間で若干の相対移動が生じ擦れ合う。
【０００７】
そこで従来では、上記の問題を解決するために、側壁６１ａ，６１ｂの内側面や、シールリップ６２ａ，６２ｂの上記内側面との対向面に、高摺動材、例えばポリエチレンやポリプロピレンの被膜を形成し、摩擦抵抗を小さくすることで上記異音の発生を防止しようとしたり、シールリップ６２ａ，６２ｂと側壁６１ａ，６１ｂの内側面との間に塊状の高発泡スポンジ９０を形成しておき（例えば、特許文献１参照）、上記異音の発生を防止しようとする対策がなされているが、どれも異音発生を十分に防止することができなかった。
【０００８】
なお、シールリップと対向する本体部の内側面に高摺動材のポリエチレンやポリプロピレンの摺動層を形成してもやはり異音が発生するのは、摺動層はガラスラン本体部自体を構成するＥＰＤＭゴムやＴＰＯよりも遙かに硬いことから、シールリップが摺動層に当接するときの打音によるものである（例えば、特許文献２参照）。
【０００９】
また、塊状の高発泡スポンジ９０を設けた場合、ドアガラスの振動に伴ってシールリップがこの塊状の高発泡スポンジ接触した時に、塊状故にシールリップのドアガラスへの反力が高くなり、ドアガラスの昇降時の摺動抵抗が上がるとともに、ドアガラスの昇降（ドアガラス開口部の開閉）がスムースでなくなるという不具合が生じる。
【特許文献１】特開２００１−１３０２６５号公報
【特許文献２】特開２００１−２２５６４７号公報
【発明の開示】
【発明が解決しようとする課題】
【００１０】
本発明は上記事情に鑑みてなされたものであり、その目的は、ドアガラスを半開きにして、ドアを強閉しあるいは悪路走行したときに生じるガラスランの異音の発生を防止するとともに、シールリップのドアガラスへの反力の向上を抑制し、ドアガラスの昇降時の摺動抵抗の向上をも抑制して、ドアガラスの昇降（ドアガラス開口部の開閉）をスムースに行うことができるガラスランを提供することである。
【課題を解決するための手段】
【００１１】
以下、上記目的等を解決するのに適した各手段につき項分けして説明する。なお、必要に応じて対応する手段に特有の作用効果等を付記する。
【００１２】
手段１．ドアフレームの内周側に装着されるガラスランであって、底壁と車内側側壁と車外側側壁とからなる断面略コ字状のガラスラン本体と、両シールリップと、複数の保持リップとを備えたガラスランにおいて、
前記シールリップと該シールリップに対向する前記側壁のいずれか一方の部材に、他方の部材との間に空間を隔ててリップ状又は中空状のいずれか一つの形態の発泡体を設け、前記ガラスラン本体と、前記両シールリップと、前記保持リップをオレフィン系熱可塑性エラストマー材料又はその微発泡の材料で構成し、前記発泡体を同じくオレフィン系熱可塑性エラストマー材料で、発泡倍率１．５倍〜２．５倍で構成したものである。 
【００１３】
手段１によれば、ドアフレームの内周側に装着されるガラスランであって、底壁と車内側側壁と車外側側壁とからなる断面略コ字状のガラスラン本体と、前記両シールリップと、複数の保持リップとを備えたガラスランにおいて、前記シールリップと該シールリップに対向する前記側壁のいずれか一方の部材に、他方の部材との間に空間を隔ててリップ状又は中空状のいずれか一つの形態の発泡体を設け、前記ガラスラン本体と、前記両シールリップと、前記保持リップをオレフィン系熱可塑性エラストマー材料又はその微発泡の材料で構成し、前記発泡体を同じくオレフィン系熱可塑性エラストマー材料で、発泡倍率１．５倍〜２．５倍で構成したため、製造が容易で、軽量化が図れ、また、ドアガラスを半開きにして、ドアを強閉したり、あるいは悪路走行したときに生じるガラスランの異音の発生を防止することができる。
【００１４】
すなわち、全ての材料が、オレフィン系熱可塑性エラストマー材料を中心に構成されているため、従来のＥＰＤＭゴム製のガラスランに比べて、加硫工程等を必要とせず、その製造が容易であるとともに、ＥＰＤＭゴムに比べて比重が小さいので、軽量化が図れ、かつリサイクル性にも優れている。
【００１５】
また、発泡体が設けられていない他方の部材とは空間を隔てて発泡体が設けられており、発泡体が塊状ではないため、シールリップと側壁の接触時の打撃が緩和され、さらに、発泡体自身の弾性変形の他に、リップ状又は中空状の形状による変形も加えられて、異音の発生を防止することができるとともに、ドアガラスの振動のバラツキで、ドアガラスがシールリップを強く押した場合にも、シールリップのドアガラスへの反力の向上を抑制し、ドアガラスの摺動抵抗が上がるのを抑制して、ドアガラスの昇降（ドアガラス開口部の開閉）をスムースに行うことができる。
【００１６】
手段２．前記発泡体は、シールリップの先端から対向する側壁に向かって延出するリップ状の形態であり、前記シールリップと同時押出成形により、一体に形成されている手段１記載のガラスラン。
【００１７】
手段２によれば、発泡体が、車内側シールリップと車外側シールリップの内、少なくとも一方のシールリップの先端から対向する側壁に向かって延出するリップ状の形態で、前記シールリップと同時押出成形により一体に形成されている。そのため、発泡体を含んでのガラスランの製造が容易である。
【００１８】
また、側壁とは空間を隔てて発泡体が設けられており、発泡体が塊状ではないため、シールリップが撓んで発泡体が側壁と接触する時にその打撃が緩和され、さらに、発泡体自身の弾性変形の他に、リップ状という形状による変形も加えられて、異音の発生を防止することができるとともに、シールリップの底着き距離をかせぐことができ、また、ドアガラスの振動のバラツキで、ドアガラスがシールリップを強く押した場合にも、シールリップのドアガラスへの反力の向上を抑制し、ドアガラスの摺動抵抗が上がるのを抑制して、ドアガラスの昇降をスムースに行うことができる。
【００１９】
手段３．前記発泡体は、前記少なくとも一方のシールリップの先端が当接可能な範囲の前記側壁に設けられ、リップ状又は中空状のいずれか一つの形態で前記側壁と同時押出成形により一体に形成されている手段１記載のガラスラン。
【００２０】
手段３によれば、発泡体が、前記少なくとも一方のシールリップの先端が当接可能な範囲の前記側壁に設けられ、リップ状又は中空状のいずれか一つの形態で前記側壁と同時押出成形により一体に形成されている。そのため、発泡体を含んでのガラスランの製造が容易である。
【００２１】
また、シールリップとは空間を隔てて発泡体が設けられており、発泡体が塊状ではないため、シールリップが撓んで側壁の発泡体と接触する時にその打撃が緩和され、さらに、発泡体自身の弾性変形の他に、リップ状又は中空状という形状による変形も加えられて、異音の発生を防止することができるとともに、シールリップの底着き距離をかせぐことができ、また、ドアガラスの振動のバラツキで、ドアガラスがシールリップを強く押した場合にも、シールリップのドアガラスへの反力の向上を抑制し、ドアガラスの摺動抵抗が上がるのを抑制して、ドアガラスの昇降をスムースに行うことができる。
【００２２】
手段４．前記発泡体は、前記車内側シールリップの先端が当接可能な範囲にリップ状又は中空状に突出して設けられる部分と、前記車内側側壁に埋設される部分とを有しているとともに、該埋設部位の車内側側壁の外表面部位には、補強のための硬質材料が板状に、一体的に設けられている手段３に記載のガラスラン。
【００２３】
手段４によれば、発泡体は、車内側シールリップの先端が当接可能な範囲にリップ状又は中空状に突出して設けられる部分と、車内側側壁に埋設される部分とを有し、埋設部位の車内側側壁の外表面部位に補強のための硬質材料が板状に一体的に設けられているので、手段３の効果に加えて側壁の一部分を発泡体で形成しても、板状の硬質材料が補強するため、側壁の剛性が低下することなく、側壁の機能を満足することができる。
【発明の効果】
【００２４】
本発明では、上記のように構成したので、以下のような効果が得られる。
（１）全ての材料が、オレフィン系熱可塑性エラストマー材料を中心に構成されているため、従来のＥＰＤＭゴム製のガラスランに比べて、加硫工程等を必要とせず、その製造が容易である。
（２）従来のＥＰＤＭゴム製のガラスランに比べて、比重が小さいので、軽量化が図れ、かつリサイクル性にも優れている。
（３）発泡体が設けられていない他方の部材とは空間を隔てて発泡体が設けられており、発泡体が塊状ではないため、シールリップと側壁の接触時の打撃が緩和され、ドアガラスを半開きにして、ドアを強閉したり、あるいは悪路走行したときに生じるガラスランの異音の発生を防止することができる。
（４）また、発泡体をガラスラン本体等と同じくオレフィン系熱可塑性エラストマー材料で、発泡倍率１．５倍〜２．５倍で構成したため、シールリップと側壁の接触時の打撃が緩和され、ドアガラスを半開きにして、ドアを強閉したり、あるいは悪路走行したときに生じるガラスランの異音の発生を防止することができる。
（５）また、側壁又はシールリップとは空間を隔てて発泡体が設けられており、発泡体が塊状ではないため、シールリップが撓んで発泡体が側壁と接触する時にその打撃が緩和され、発泡体自身の弾性変形の他に、リップ状又は中空状という形状による変形も加えられて、異音の発生を防止することができるとともに、シールリップの底着き距離をかせぐことができ、また、ドアガラスの振動のバラツキで、ドアガラスがシールリップを強く押した場合にも、シールリップのドアガラスへの反力の向上を抑制し、ドアガラスの摺動抵抗が上がるのを抑制して、ドアガラスの昇降をスムースに行うことができる。
【発明を実施するための最良の形態】
【００２５】
以下に、本発明の実施形態について図面を参照して説明する。
【００２６】
図１は、第１実施形態のガラスラン４の断面を示すもので、図３のI−I線に沿った断面図である。
【００２７】
図１に示すように、本実施形態のガラスラン４は、オレフィン系熱可塑性エラストマー（ＴＰＯ）又はその微発泡体で形成された押出成形体で、底壁４１ｃ及びこの底壁４１ｃから延びる一対の車内側側壁、車外側側壁４１ａ，４１ｂからなる断面略コ字状のガラスラン本体４０と、上記両側壁４１ａ，４１ｂの略先端からそれぞれガラスラン本体４０の内側に向かって延出するの一対の車内側、車外側シールリップ４２ａ，４２ｂとを備えている。
【００２８】
また、前記車内側側壁、車外側側壁４１ａ，４１ｂの底壁４１ｃ部位近傍には、それぞれ外側に向かって突出する車内側、車外側保持リップ４３ａ，４３ｂが形成されている。
【００２９】
なお、ガラスラン４は、従来と同様にドアフレーム２の内周側に形成したガラスラン取付け部２０内に車内側、車外側保持リップ４３ａ，４３ｂによって嵌着され、両シールリップ４２ａ，４２ｂが、ドアガラス３の周縁部をその両面から挟むようにしてシールしている。また、底壁４１ｃ及び車内側、車外側シールリップ４２ａ，４２ｂのドアガラス３との接触表面には、摺動抵抗を低くする摺動層が設けられている。
【００３０】
前記両シールリップ４２ａ，４２ｂの先端には、それぞれ対向する側壁４１ａ，４１ｂに対して、空間を隔ててリップ状の発泡体５１ａ，５１ｂが形成されている。このリップ状の発泡体５１ａ，５１ｂは、上記ガラスランの材料と同様のオレフィン系熱可塑性エラストマー材料で、発泡倍率１．５倍〜２．５倍で発泡させて構成したものである。また、この発泡体５１ａ，５１ｂは、前記両シールリップ４２ａ，４２ｂと同時押出成形により一体に形成されている
上記リップ状の発泡体５１ａ，５１ｂは、車内側シールリップ４２ａと車外側シールリップ４２ｂの先端からそれぞれ対向する側壁４１ａ，４１ｂに向かって延出するリップ状の形態で、前記シールリップ４２ａ，４２ｂと同時押出成形により一体に形成されている。そのため、発泡体５１ａ，５１ｂを含んでのガラスラン４の製造が容易である。
【００３１】
また、側壁４１ａ，４１ｂとは空間を隔てて発泡体５１ａ，５１ｂが設けられており、発泡体５１ａ，５１ｂが塊状ではないため、シールリップ４２ａ，４２ｂが撓んで発泡体５１ａ，５１ｂが側壁４１ａ，４１ｂと接触する時にその打撃が緩和され、さらに、発泡体５１ａ，５１ｂ自身の弾性変形の他に、リップ状という形状による変形も加えられて、異音の発生を防止することができるとともに、シールリップ４２ａ，４２ｂの底着き距離をかせぐことができる。また、ドアガラス３の振動のバラツキで、ドアガラス３がシールリップ４２ａ，４２ｂを強く押した場合にも、シールリップ４２ａ，４２ｂのドアガラス３への反力の向上を抑制し、ドアガラス３の摺動抵抗が上がるのを抑制して、ドアガラス３の昇降をスムースに行うことができる。
【００３２】
発泡体５１ａ，５１ｂは、その発泡倍率を１．５倍〜２．５倍で発泡させて形成されている。発泡倍率が１．５倍より小さいと、ソリッド材のものとあまり変わらず、緩衝効果や、発泡体自身の可とう性等が期待できなくなる。また、発泡倍率が２．５倍より大きいと、剛性が確保できない場合が生じるので好ましくない。
【００３３】
図２は、第２実施形態及びその変形例を示すガラスラン４の部分断面図である。
【００３４】
図２に示すように、第２実施形態及びその変形例のガラスラン４では、発泡体５２，５３がそれぞれ側壁側に形成されている点で、上記第１実施形態とは異なっているが、それ以外の構成は上記第１実施形態と同じである。
【００３５】
図２（Ａ）に示すように、第２実施形態のガラスラン４では、車内側側壁４１ａにリップ状の発泡体５２が、ガラスラン本体等と同じくオレフィン系熱可塑性エラストマー材料で、発泡倍率１．５倍〜２．５倍で形成されている。このリップ状の発泡体５２は、車内側シールリップ４２ａの先端が当接可能な範囲にリップ状に突出して設けられる部分５２１と、前記車内側側壁４１ａに埋設される部分５２２とを有している。なお、この埋設部位５２２の車内側側壁４１ａの外表面部位には、補強のためのポリエチレン樹脂、ポリプロピレン樹脂等のオレフィン系樹脂の硬質材料５５が板状に、一体的に設けられている。
【００３６】
また、図２（Ｂ）に示すものは、第２実施形態の変形例を示すものである。このガラスラン４では、車内側側壁４１ａに中空状の発泡体５３が、ガラスラン本体等と同じくオレフィン系熱可塑性エラストマー材料で、発泡倍率１．５倍〜２．５倍で形成されている。この中空状の発泡体５３も第２実施形態と同様に、車内側シールリップ４２ａの先端が当接可能な範囲に中空状に突出して設けられる部分５３１と、前記車内側側壁４１ａに埋設される部分５３２とを有している。なお、この埋設部位５３２の車内側側壁４１ａの外表面部位には、補強のためのポリエチレン樹脂、ポリプロピレン樹脂等のオレフィン系樹脂の硬質材料５５が板状に、一体的に設けられている。
【００３７】
上記リップ状又は中空状の発泡体５２，５３は、車内側側壁４１ａに埋設され、それぞれ対向する車内側シールリップ４２ａに向かって突出する形態で、前記車内側側壁４１ａと同時押出成形により一体に形成されている。そのため、発泡体５２，５３を含んでのガラスラン４の製造が容易である。
【００３８】
また、車内側シールリップ４２ａとは空間を隔てて発泡体５２，５３が設けられており、発泡体５２，５３が塊状ではないため、車内側シールリップ４２ａが撓んで発泡体５２，５３と接触する時にその打撃が緩和され、さらに、発泡体５２，５３の材料自身の弾性変形の他に、リップ状又は中空状という形状による変形も加えられて、異音の発生を防止することができるとともに、車内側シールリップ４２ａの底着き距離をかせぐことができる。また、ドアガラス３の振動のバラツキで、ドアガラス３が車内側シールリップ４２ａを強く押した場合にも、車内側シールリップ４２ａのドアガラス３への反力の向上を抑制し、ドアガラス３の摺動抵抗が上がるのを抑制して、ドアガラス３の昇降をスムースに行うことができる。
【００３９】
また、上記発泡体５２，５３は、車内側側壁４１ａに埋設される部分５２２,５３２をそれぞれ有しているため、同時押出成形時に車内側側壁４１ａと接触している部分が増え、発泡体５２，５３と車内側側壁４１ａの接合強度が向上する。
【００４０】
さらに、上記第２実施形態及びその変形例のガラスラン４では、発泡体５２，５３の車内側側壁４１ａに埋設される部分５２２,５３２に対応した車内側側壁４１ａの外表面部位には、ポリエチレン樹脂、ポリプロピレン樹脂等のオレフィン系樹脂の硬質材料５５が板状に、一体的に設けられているので、埋設部分が発泡体で形成されて、部分的に剛性が低くなったとしても、板状の硬質材料５５が補強するため、車内側側壁４１ａの剛性は低下しない。
【００４１】
尚、上記実施形態の記載内容に限定されず、例えば次のように実施してもよい。勿論、以下において例示しない他の応用例、変更例も当然可能である。
【００４２】
（ａ）上記第１実施形態では、車内側、車外側シールリップの両方のシールリップにリップ状の発泡体を設けたものを示したが、車内側シールリップのみに発泡体を設けるようにしても良い。また、第１実施形態の発泡体の形態を中空状としても良い。
【００４３】
（ｂ）上記第２実施形態及びその変形例では、車内側側壁に発泡体を設けたものを示したが、車外側側壁又は両側壁に発泡体を設けるようにしても良い。
【００４４】
（ｃ）上記第２実施形態及びその変形例では、硬質材料としてポリエチレン樹脂、ポリプロピレン樹脂等のオレフィン系樹脂を示したが、硬質のオレフィン系熱可塑性エラストマー（ＴＰＯ）を適用させても良い。
【図面の簡単な説明】
【００４５】
【図１】本発明の第１実施形態におけるガラスランを示すもので図３のI−I線断面図である。
【図２】本発明の第２実施形態及びその変形例のガラスランを示すものであり、図２（Ａ）は本発明の第２実施形態、図２（Ｂ）はその変形例のガラスランの一部拡大断面図である。
【図３】本発明のガラスランが装着された自動車ドアの構成を示す側面図である。
【図４】従来のガラスランにおける断面図である。
【符号の説明】
【００４６】
１…自動車ドア、２…ドアフレーム、３…ドアガラス、４…ガラスラン、４０…ガラスラン本体、４１ａ…車内側側壁、４１ｂ…車外側側壁、４１ｃ…底壁、４２ａ…車内側シールリップ、４２ｂ…車外側シールリップ、５１、５２、５３…発泡体、５５…硬質材料。
【図１】
2005271677.tif 000003
【図２】
2005271677.tif 000004
【図３】
2005271677.tif 000005
【図４】
2005271677.tif 000006